(57)【要約】【課題】画像データの書込み後に生じる記録メディアの空き領域を有効に活用することができる情報記録装置及び情報記録システムを提供する。【解決手段】注文主の個人情報や撮影時の状況を示す撮影情報、或いは画像データそのものに基づいて広告情報または広告情報の位置を示す位置情報を選択し、画像データを書込んだ後のリムーバブルメディア３２の空き領域に該選択した情報を書込むようにする。【選択図】　図１
2004128677.tif 000002
【特許請求の範囲】
【請求項１】
被写体を撮影することによって得られた画像データ、前記被写体を撮影したときの状況を示す撮影情報、及び該画像データを記録メディアに記録するための注文主の個人情報の少なくとも一つに基づいて、複数の広告情報の中から少なくとも一つの広告情報を選択するか、または広告情報が記録されている位置を示す複数の位置情報の中から少なくとも一つの位置情報を選択する選択手段と、
前記画像データを記録メディアに記録すると共に、前記選択された情報を前記記録メディアの空き領域に記録する記録手段と、
を含む情報記録装置。
【請求項２】
被写体を撮影することによって得られた画像データ、及び該画像データを記録メディアに記録するための注文主の個人情報を含む注文情報をネットワークを介して送信するための送信装置と、
前記ネットワークに接続されると共に、複数の広告情報または広告情報が記録されている位置を示す複数の位置情報が予め記録された広告データベースと、
前記ネットワークに接続されると共に、前記送信装置から送信された画像データを記録メディアに記録し、選択された情報を前記記録メディアの空き領域に記録する情報記録装置と、を含んで構成され、
前記情報記録装置または前記広告データベースにおいて、前記ネットワークを介して前記送信装置から送信された前記画像データ及び前記個人情報の少なくとも一方に基づいて、前記空き領域に記録するための情報を前記複数の広告情報または複数の位置情報から少なくとも一つ選択することを特徴とする
情報記録システム。
【請求項３】
被写体を撮影することによって得られた画像データ、前記被写体を撮影したときの状況を示す撮影情報、及び該画像データを記録メディアに記録するための注文主の個人情報を含む注文情報をネットワークを介して送信するための送信装置と、
前記ネットワークに接続されると共に、複数の広告情報または広告情報が記録されている位置を示す複数の位置情報が予め記録された広告データベースと、
前記ネットワークに接続されると共に、前記送信装置から送信された画像データを記録メディアに記録し、選択された情報を前記記録メディアの空き領域に記録する情報記録装置と、を含んで構成され、
前記情報記録装置または前記広告データベースにおいて、前記ネットワークを介して前記送信装置から送信された前記画像データ、前記被写体を撮影したときの状況を示す撮影情報、及び前記個人情報の少なくとも一つに基づいて、前記空き領域に記録するための情報を前記複数の広告情報または複数の位置情報から少なくとも一つ選択することを特徴とする
情報記録システム。
【請求項４】
前記ネットワークに接続されると共に、前記注文情報に含まれる個人情報及び前記注文主が予め申告した個人情報の少なくとも一方が記録された個人情報データベースを更に含んで構成され、
前記情報記録装置または前記広告データベースにおいて個人情報に基づいて広告情報または位置情報を選択する場合に、前記個人情報データベースから提供された個人情報に基づいて広告情報または位置情報を選択することを特徴とする
請求項２または請求項３記載の情報記録システム。
【発明の詳細な説明】
【０００１】
【発明の属する技術分野】
本発明は、情報記録装置及び情報記録システムに関し、特に、被写体を撮影することによって得られた画像データを記録メディアに記録する情報記録装置及び情報記録システムに関するものである。
【０００２】
【従来の技術】
近年、各地に点在し現像処理サービス等を行うラボ店では、銀塩カメラで撮影した写真フイルムの画像をデジタル化し、ＣＤ−Ｒ等のディスク状記録メディアに書込むサービスが広く行われている。また、デジタルカメラの普及に伴い、デジタルカメラで撮影して得られた画像データを、記録メディアに書込むサービスも開始されている。
【０００３】
ところで、記録メディアに書込まれる画像データのデータ量が少ない場合には、記録メディアに空き領域が生じてしまう場合がある。その空き領域を無駄にしないよう、後から追加して画像データを記録する、所謂追記サービスを提供することも考えられてはいるが、顧客が持ち込んだ記録メディアに傷等がついていた場合には、書込み処理を正常に行うことができずに多くの時間が費やされ、結果としてラボ店の生産性が低下してしまうことから、追記サービスを行わないラボ店が多い。
【０００４】
なお、ラボ店のサービスを確実性高く利用するためのシステムとしては、記録メディアにラボ店が提供可能なプリントサービスを示す情報であるプリントサービス情報を写真画像データと共に記録することによりラボ店が提供し得るサービスに合わせて電子データ形式のプリント注文情報を容易に作成する写真プリント注文システムが知られている。（例えば、特許文献１参照。）。
【０００５】
【特許文献１】
特開平１０−２１４２９５号公報
【０００６】
【発明が解決しようとする課題】
しかしながら、上述した従来のメディア書込みサービスにおいて、追記サービスを行わない場合には、画像データ書込み後に生じた記録メディアの空き領域が有効に活用されない、という問題点がある。
【０００７】
また、メディア書込みサービスの利用料金が高いため、サービスを気軽に利用することができない、といった問題点もある。
【０００８】
また、上述した従来の写真プリント注文システムでは、写真画像データと共に記録される情報が、プリントサービス情報に限られてしまうため、空き領域が有効に活用されているとは言えない。更に、高いサービス料金を軽減するための有効な手段は何ら提供されていない。
【０００９】
本発明は上記問題点を解決するためになされたもので、画像データ書込み後に生じる記録メディアの空き領域を有効に活用することができる情報記録装置及び情報記録システムを提供することを目的とする。
【００１０】
【課題を解決するための手段】
上記目的を達成するために、請求項１記載の発明の情報記録装置は、被写体を撮影することによって得られた画像データ、前記被写体を撮影したときの状況を示す撮影情報、及び該画像データを記録メディアに記録するための注文主の個人情報の少なくとも一つに基づいて、複数の広告情報の中から少なくとも一つの広告情報を選択するか、または広告情報が記録されている位置を示す複数の位置情報の中から少なくとも一つの位置情報を選択する選択手段と、前記画像データを記録メディアに記録すると共に、前記選択された情報を前記記録メディアの空き領域に記録する記録手段と、を含んで構成されている。
【００１１】
請求項１記載の発明では、情報記録装置の選択手段により、被写体を撮影することによって得られた画像データ、被写体を撮影したときの状況を示す撮影情報、及び該画像データを記録メディアに記録するための注文主の個人情報の少なくとも一つに基づいて、複数の広告情報の中から少なくとも一つの広告情報が選択されるか、または広告情報が記録されている位置を示す複数の位置情報の中から少なくとも一つの位置情報が選択される。また、記録手段により、記録メディアに画像データが記録されると共に、記録メディアの空き領域に選択手段により選択された情報が記録される。
【００１２】
なお、上記画像データは静止画像の画像データに限らず、連続画像の画像データであってもよいし、また、動画像の画像データであってもよい。
【００１３】
また、画像データに基づいて広告情報等を選択する場合には、画像に含まれる被写体（シーン）に基づいて選択すればよい。すなわち、撮影された被写体は撮影者が興味を持つ対象であると考えられるため、撮影された被写体に基づいて適切な広告情報や位置情報を容易に選択できる。なお、この場合は、コンピュータシステムにより撮影画像から被写体を自動的に解析することで広告情報等が選択されてもよいし、撮影画像をディスプレイ等に表示することでオペレータが手動で選択するようにしてもよい。
【００１４】
また、広告情報等を選択する場合に用いられる被写体を撮影したときの状況を示す撮影情報には、撮影場所を示す地域的な情報、撮影日時を示す時期的な情報の少なくとも一方を含むことができる。地域的な情報を用いる場合には、地域に関連した広告情報（例えば、地域の特産品の広告情報等）、時期的な情報を用いる場合には、時期に関連した情報（例えば、入学式、卒業式、正月、クリスマス等の広告情報）等を選択するようにすることができる。
【００１５】
また、広告情報等を選択する場合に用いられる注文主の個人情報には、注文主の社会的地位が判断できる情報、個人の嗜好が判断できる情報、例えば、年齢、性別、職場での役職等を含むことができる。これによって各個人に適した広告情報を選択することができる。
【００１６】
このように、画像データを記録した記録メディアの空き領域に広告情報または広告情報が記録されている位置を示す位置情報を選択して記録することができるため、広告主は利用される可能性が高い広告情報または位置情報を効果的に提供することができる。すなわち、記録メディアの空き領域を有効に活用することができる。更に、広告情報等を記録することで、注文主が負担する記録メディアへの書込み手数料を広告情報提供側に負担させることも可能となり、注文主の手数料負担が軽減される。
【００１７】
また、広告情報そのものの代わりに、広告情報が記録されている位置を示す位置情報、例えば、ネット経由でアクセス可能な広告サイトのＵＲＬ情報等を記録メディアに記録すれば、記録容量が少なくなるので、記録処理に係る時間を短縮することができる。この場合更に、広告サイトの内容を広告情報提供側で容易に変更することができるため、広告情報そのものを書込む場合に比して、長期間に渡り有効な宣伝効果を得ることができる。
【００１８】
更にまた、注文主のメディア書き込みサービスに対する注文を行うときの画像データ、撮影情報、及び個人情報の少なくとも１つは、注文情報と共にネット経由で送信してもよいし、画像データが記録された記録メディア等をサービス提供者（例えば、ラボ店）に直接持ち込んで、サービス提供者側で入力してもよい。
【００１９】
また、請求項２記載の発明の情報記録システムは、被写体を撮影することによって得られた画像データ、及び該画像データを記録メディアに記録するための注文主の個人情報を含む注文情報をネットワークを介して送信するための送信装置と、前記ネットワークに接続されると共に、複数の広告情報または広告情報が記録されている位置を示す複数の位置情報が予め記録された広告データベースと、前記ネットワークに接続されると共に、前記送信装置から送信された画像データを記録メディアに記録し、選択された情報を前記記録メディアの空き領域に記録する情報記録装置と、を含んで構成され、前記情報記録装置または前記広告データベースにおいて、前記ネットワークを介して前記送信装置から送信された前記画像データ及び前記個人情報の少なくとも一方に基づいて、前記空き領域に記録するための情報を前記複数の広告情報または複数の位置情報から少なくとも一つ選択することを特徴としている。
【００２０】
請求項２記載の発明の情報記録システムでは、送信手段は、被写体を撮影することによって得られた画像データ、及び該画像データを記録メディアに記録するための注文主の個人情報を含む注文情報を送信する。広告データベースには複数の広告情報または広告情報が記録されている位置を示す複数の位置情報が予め記録されている。情報記録装置または広告データベースは、送信装置から送信された画像データ及び個人情報の少なくとも一方に基づいて、広告情報または位置情報を少なくとも一つ選択し、情報記録装置は、送信装置から送信された画像データを記録メディアに記録し、選択された情報を記録メディアの空き領域に記録する。
【００２１】
これにより、上記請求項１記載の発明と同様に、記録メディアの空き領域を有効に活用することができると共に、ネットワークを介して画像データや注文情報の授受が可能となるため、処理が迅速化する。
【００２２】
なお、データの授受のために用いられるネットワークは、例えばＬＡＮやＷＡＮであってもよいし、インターネットのようなネットワークであってもよい。また、注文情報の送信は、ＰＨＳや携帯電話等を送信装置としてこれらを用いた通信により行われてもよいし、ネットワークに接続された端末を送信装置として行われてもよい。
【００２３】
また、請求項３記載の情報記録システムは、被写体を撮影することによって得られた画像データ、前記被写体を撮影したときの状況を示す撮影情報、及び該画像データを記録メディアに記録するための注文主の個人情報を含む注文情報をネットワークを介して送信するための送信装置と、前記ネットワークに接続されると共に、複数の広告情報または広告情報が記録されている位置を示す複数の位置情報が予め記録された広告データベースと、前記ネットワークに接続されると共に、前記送信装置から送信された画像データを記録メディアに記録し、選択された情報を前記記録メディアの空き領域に記録する情報記録装置と、を含んで構成され、前記情報記録装置または前記広告データベースにおいて、前記ネットワークを介して前記送信装置から送信された前記画像データ、前記被写体を撮影したときの状況を示す撮影情報、及び前記個人情報の少なくとも一つに基づいて、前記空き領域に記録するための情報を前記複数の広告情報または複数の位置情報から少なくとも一つ選択することを特徴としている。
【００２４】
請求項３記載の発明の情報記録システムでは、送信装置は画像データ及び注文主の個人情報を含む注文情報に加え、被写体を撮影したときの状況を示す撮影情報を送信する。情報記録装置または広告データベースは、広告情報または位置情報から少なくとも一つを、送信装置から送信された画像データ、個人情報、及び撮影情報の少なくとも一つに基づいて選択する。
【００２５】
これにより、上記請求項１記載の発明と同様に、記録メディアの空き領域を有効に活用することができると共に、ネットワークを介して画像データや注文情報の授受が可能となるため、処理が迅速化する。更に上記請求項２記載の発明に比して、広告情報または位置情報を選択するための基となる情報に被写体を撮影したときの状況を示す撮影情報が含まれ得るようにしたため、注文主に利用される可能性がより高い広告情報または位置情報を選択して記録することが可能となる。
【００２６】
また、上記情報記録システムは、前記ネットワークに接続されると共に、前記注文情報に含まれる個人情報及び前記注文主が予め申告した個人情報の少なくとも一方が記録された個人情報データベースを更に含んで構成され、前記情報記録装置または前記広告データベースにおいて個人情報に基づいて広告情報または位置情報を選択する場合に、前記個人情報データベースから提供された個人情報に基づいて広告情報または位置情報を選択することもできる。
【００２７】
これにより、例えば、情報記録装置または広告データベースが個人情報に基づいて広告情報または位置情報を選択する場合に、個人情報を容易に参照することができる。
【００２８】
なお、広告データベース或いは個人情報データベースは、情報記録装置内に含まれて構成されてもよいし、外部装置として別々に設置されていてもよい。
【００２９】
【発明の実施の形態】
以下、図面を参照して、本発明の実施の形態を詳細に説明する。
【００３０】
なお、以下では、本発明をネットワークを利用したメディア書込みシステムに適用した場合について説明する。
【００３１】
図１は、本発明の実施の形態のメディア書込みシステム１１０がコンピュータ・ネットワーク・システムを用いて構成された場合の全体構成図を模式的に示した図である。メディア書込みシステム１１０は、インターネット等の通信網を含んで構成された通信回線１１２に、ルータやターミナルアダプタ等の接続装置を介して後述するラボサーバ等の各種装置が接続されて構成されている。
【００３２】
通信回線１１２には、ラボ店に設置され注文主の画像データ及び広告情報等をＣＤ−Ｒ等のリムーバブルメディア３２に書込むためのラボサーバ２４と、注文主からの画像データや注文情報を受信して必要なデータをラボサーバ２４に送信するためのネットセンタサーバ１６と、広告主が提供した広告情報等を蓄積し、蓄積した広告情報等をラボサーバ２４に送信する処理を行うと共に、各広告主に対して課金情報を送信する処理を行う広告主サーバ２０と、広告主が広告主サーバ２０にアクセスして広告情報等をアップロードすると共に、広告主サーバ２０からの課金情報等を受信するための広告主ＰＣ（パソコン）１８０と、メディア書込みサービスの注文情報を作成して画像データと共に送信するための注文主ＰＣ１２とが接続装置を介して接続されている。
【００３３】
なお、これらのラボサーバ２４、注文主ＰＣ１２等のコンピュータは各々１台ずつとして説明するが、本発明はこれに限定されるものではなく、各々複数台で構成されていてもよい。
【００３４】
ラボサーバ２４は、ＣＰＵ１１６、ＲＯＭ１１８、及びＲＡＭ１２０を有し、入出力インタフェース（以下、Ｉ／Ｏという）１２２を介して相互にデータやコマンドを授受可能に構成されたコンピュータを含んで構成されている。このＩ／Ｏ１２２にはＨＤＤ１２４、通信装置１２６、スキャナ１２８、プリンタ１３０、キーボード１３２、及び液晶ディスプレイ１３４が接続されている。
【００３５】
ＲＯＭ１１８には、ＣＤ−Ｒ等のリムーバブルメディア３２に注文主の画像データを書込むと共に広告情報等を書込む処理を実行する処理ルーチンのプログラムと、広告情報等を広告主サーバ２０から取得するために選択され広告主サーバ２０に送信される広告種の一覧が記憶されている。なお、このプログラム及び広告種一覧はＨＤＤ１２４に記憶されていてもよい。
【００３６】
通信装置１２６は、主に、他のコンピュータとの情報授受を実行する。また、スキャナ１２８は、写真フイルム等から画像を読み取り、プリンタ１３０はスキャナ１２８で読み取られた画像等をプリントする。
【００３７】
また、Ｉ／Ｏ１２２には、ＣＤ−Ｒ等のリムーバブルメディア３２を接続することができ、注文主の注文に応じて画像データを書込むことができる。
【００３８】
更にまた、Ｉ／Ｏ１２２には、リムーバブルメディア３２より容量が小さく、且つデジタルカメラ１０で撮影された画像が記録されたスマートメディア等のリムーバブルメディア１４も接続することができ、これにより、注文主が直接ラボ店に持ちこんだリムーバブルメディア１４に記録された画像データを読み出すことができる。
【００３９】
更に、Ｉ／Ｏ１２２には、デジタルカメラ１０を接続することができ、内部メモリに画像データが記録されたデジタルカメラ１０が注文主により直接ラボ店に持ちこまれた場合に、該デジタルカメラ１０から画像データを読み出すことができる。
【００４０】
ネットセンタサーバ１６は、ＣＰＵ１３６、ＲＯＭ１３８、及びＲＡＭ１４０を有し、Ｉ／Ｏ１４２を介して相互にデータやコマンドを授受可能に構成されたコンピュータを含んで構成されている。このＩ／Ｏ１４２にはＨＤＤ（個人情報ＤＢ）１８、通信装置１４４、プリンタ１４６、キーボード１４８、及び液晶ディスプレイ１５０が接続されている。
【００４１】
ＨＤＤ（個人情報ＤＢ）１８には注文主の個人情報（氏名、住所、電話番号、年齢、性別、ＩＤ等）が蓄積されている。これら個人情報は、事前に注文主から申告されて蓄積されるが、その際、各注文主を識別するためのＩＤが与えられ、ＩＤに対応付けられて各情報が蓄積される。また、個人情報は常時ＣＰＵ１３６により管理され、情報の変更等があれば、更新される。また、ＲＯＭ１３８には、注文主の注文情報を画像データと共に受信してラボサーバ２４に転送するための処理を実行する処理ルーチンのプログラムが記憶されている。なおこのプログラムはＨＤＤ１８内の個人情報を記憶した領域とは別の領域に記憶されていてもよい。
【００４２】
広告主サーバ２０は、ＣＰＵ１５２、ＲＯＭ１５４、及びＲＡＭ１５６を有し、Ｉ／Ｏ１５８を介して相互にデータやコマンドを授受可能に構成されたコンピュータを含んで構成されている。このＩ／Ｏ１５８にはＨＤＤ（広告ＤＢ）２２、及び通信装置１６０が接続されている。
【００４３】
ＨＤＤ（広告ＤＢ）２２には、広告主が提供した広告情報及び広告主が提供する広告情報の位置を示す位置情報（ネットワーク経由で広告情報が掲載されたサイトにアクセスするためのＵＲＬ情報等）が広告種毎に格納されている。また、ＲＯＭ１５４には、広告情報または位置情報をラボサーバ２４に送信する処理を実行する処理ルーチンやラボサーバ２４から受信した課金情報を各広告主に送信する処理を実行する処理ルーチンのプログラムが記憶されている。なおこのプログラムはＨＤＤ２２内の広告情報や位置情報を記憶した領域とは別の領域に記憶されていてもよい。
【００４４】
注文主ＰＣ１２は、ＣＰＵ１６２、ＲＯＭ１６４、及びＲＡＭ１６６を有し、Ｉ／Ｏ１６８を介して相互にデータやコマンドを授受可能に構成されたマイクロコンピュータを含んで構成されている。このＩ／Ｏ１６８にはＨＤＤ１７０、通信装置１７８、キーボード１７４、及び液晶ディスプレイ１７６が接続されている。
【００４５】
更に、Ｉ／Ｏ１６８には、リムーバブルメディア１４を接続することができ、リムーバブルメディア１４に記録されたデータを読み出すことができる。更に、Ｉ／Ｏ１６８には、デジタルカメラ１０を接続することもでき、デジタルカメラ１０の内部メモリに記録されたデータを読み出すことができる。
【００４６】
広告主ＰＣ１８０は、ＣＰＵ１８２、ＲＯＭ１８４、及びＲＡＭ１８６を有し、Ｉ／Ｏ１８８を介して相互にデータやコマンドを授受可能に構成されたマイクロコンピュータを含んで構成されている。このＩ／Ｏ１８８にはＨＤＤ１９０、通信装置１９６、キーボード１９２、及び液晶ディスプレイ１９４が接続されている。
【００４７】
図２は、上述したメディア書込みシステム１１０の機能構成及びデータの流れを示した概略図である。
【００４８】
まず、注文主がラボ店のメディア書込みサービスを利用するために注文主ＰＣ１２からデジタルカメラ等の撮像手段（デジタルカメラ）１０により撮影された画像（静止画像、連続画像、動画像を問わない）の画像データ及び被写体を撮影したときの状況を示す撮影情報（例えば、撮影場所、撮影日時等）が、ＣＤ−Ｒ等のリムーバブルメディア３２への書込みサービスの注文情報と共にネットワークを介してラボ店に送られる。具体的には、デジタルカメラ１０またはリムーバブルメディア１４から読み出され、注文主のパソコン（ＰＣ）１２によりインターネット等の通信回線（ネットワーク）を介してネットセンタサーバ１６に送信されてラボ店に送られる。なお、画像データは、スマートメディア等のリムーバブルメディア１４に格納されて直接ラボ店に持ち込まれてもよい。
【００４９】
ラボ店のサーバ（ラボサーバ）２４には、送信された或いは持ちこまれた画像データ及び注文情報が入力され、更にネットセンタサーバ１６を介して個人情報データベース（ＤＢ）１８から注文主の個人情報が入力される。ラボサーバ２４の広告選択指示手段２６により画像データと撮影情報とがそれぞれ別々に解析されると共に、注文主の個人情報についても解析されて、リムーバブルメディア３２に書込むべき広告情報の広告種が予め定められた広告種の中から選択される。
【００５０】
ラボサーバ２４の広告選択指示手段２６により広告種が選択されると、選択された広告種を含む広告選択指示がラボサーバ２４の広告選択手段２８に送られる。広告選択手段２８は指示に従い、広告主サーバ２０を介して広告ＤＢ２２から広告情報または位置情報を取得し、ラボサーバ２４のメディア書込手段３０へ送る。メディア書込手段３０は、撮影情報が付加された画像データをリムーバブルメディア３２に書込むと共に、リムーバブルメディア３２の空き領域に広告情報または位置情報を書込む。また、広告選択手段２８は注文主が書込みサービスに支払うべき料金の一部或いは全額が広告主の負担となるよう、広告情報または位置情報の書込みにかかる課金情報を広告主サーバ２０に送信する。
【００５１】
以上、本実施の形態のメディア書込みシステム１１のデータの流れの概略を説明したが、以下、更に詳細に本実施の形態のメディア書込みシステム１１０における各サーバの処理ルーチンを説明する。
【００５２】
まず、注文主により、デジタルカメラ１０の内部メモリに被写体を撮影して得られた画像データ及び被写体を撮影したときの状況を示す撮影情報が記憶された状態で、注文主ＰＣ１２にデジタルカメラ１０が接続される。デジタルカメラ１０が接続されると、ＣＰＵ１６２により内部メモリの画像データ及び撮影情報が読み出されてＲＡＭ１６６に一時的に記憶された後、ＨＤＤ１７０に記憶される。なお、画像データ及び撮影情報をデジタルカメラ１０の内部メモリではなく、スマートメディア等のリムーバブルメディア１４に記憶した場合には、そのリムーバブルメディア１４を注文主ＰＣ１２に装着することにより画像データ及び撮影情報を読み出す。
【００５３】
更に、注文主は、注文主ＰＣ１２により注文情報を作成し、ＨＤＤ１７０に記憶した画像データ及び撮影情報と共にネットセンタサーバ１６に送信する。注文情報には、注文主を特定するＩＤと、個人情報に変更があれば変更情報、画像データを書き込むリムーバブルメディアの種類及び枚数、一連の画像データ中でリムーバブルメディア３２に書込むべき画像データ（個々の撮影コマ）を特定する情報、及び書込み処理後のリムーバブルメディア３２の配送先等が含まれる。
【００５４】
なお、注文主から送信される画像データの形式は、撮影情報が画像そのもののデータと共に記録され、撮影情報を画像データの一部として取り扱うことができるような形式（例えばＥｘｉｆ形式）としてもよい。
【００５５】
次に、図３及び図４を用いて、メディア書込みサービスの提供側の処理を詳細に説明する。
【００５６】
図３は、ネットセンタサーバ１６のＣＰＵ１３６による処理ルーチンを示している。まず、ステップ１００で、注文主ＰＣ１２から画像データ及び撮影情報と共に注文情報を受信したか否かが判断される。注文情報を受信したと判断された場合には、ステップ１０２で、注文情報の中に注文主の個人情報に関する変更情報が含まれているか否かが判断される。変更情報が含まれていると判断された場合には、ステップ１０４で、個人情報ＤＢ１８の内容、すなわち注文情報に含まれているＩＤに対応した個人情報が、変更情報に基づいて更新される。変更情報が含まれていないと判断された場合には、ステップ１０４の処理は行われず、ステップ１０６に移行する。ステップ１０６では、個人情報ＤＢ１８から注文情報に含まれるＩＤに対応した注文主の個人情報が読み出され、ラボサーバ２４に対して、注文主ＰＣ１２から受信した画像データ、撮影情報及び注文情報と共に送信される。
【００５７】
次に、ラボサーバ２４における処理を説明する。
【００５８】
図４は、ラボサーバ２４のＣＰＵ１１６による処理ルーチンを示している。
【００５９】
ステップ２００で、注文情報、画像データ、撮影情報及び注文主の個人情報を受信したか否か判断される。受信したと判断された場合には、ステップ２０２で、撮影情報及び注文主の個人情報が解析される。ステップ２０４では、ステップ２０２の解析結果に基づいて、リムーバブルメディア３２の画像データ書込み後の空き領域に書込むべき広告の広告種がＲＯＭ１１８に記憶された広告種から選択され、選択結果が液晶ディスプレイ１３４に表示される。
【００６０】
例えば、撮影場所の情報から、撮影者が撮影した地域に関連する広告種を選択することができる。具体的には、撮影地域の特産品販売に関する広告や、撮影地域への観光に関する広告等が該当する。
【００６１】
なお、撮影場所は、デジタルカメラ１０に内蔵されたＧＰＳ（グローバルポジショニングシステム）により自動的に緯度及び経度の情報取得して撮影情報として画像データと共にリムーバブルメディア１４等に記録しておくようにしてもよいし、撮影者によりデジタルカメラ１０の入力手段にて手動で撮影場所を特定する情報を入力するようにしてもよい。
【００６２】
また、撮影日時の情報から、撮影した時期に基づいた広告種を選択することができる。例えば、撮影日時の後の時期に発生するイベントに関する広告（すなわち、撮影時がクリスマスであれば、正月、バレンタインデーの広告等）、撮影日時を含む時期のイベントに関する広告（撮影日時が夏、冬、春休み中であれば、夏、冬、春休みに関する広告等）等が該当する。
【００６３】
更にまた、発注者の個人情報から、発注者が興味を持つと考えられる広告種を選択することができる。例えば、発注者が高齢者であれば、福祉に関する広告、女性であれば、百貨店等の特売広告等が該当する。
【００６４】
なお、選択される広告種は一つであってもよいし、複数であってもよい。例えば、一つとするならば、広告種を選択するための基となる情報（撮影日時、撮影場所、年齢、性別等）に優先順位を設けて、優先度の高い順に該当する広告種が存在するか否かを確認し、該当する広告種が存在すればその広告種を選択するようにしてもよい。また、複数であれば、選択し得る全ての広告種を選択するようにしてもよいし、選択する広告種の数を限定する場合には、上述のように予め定められた優先順位の順に限定された数まで広告種を選択するようにしてもよい。
【００６５】
また、１つの広告種を複数の情報に基づいて選択してもよい。例えば、撮影日時が正月であり、且つ性別が女性であれば、バレンタインデーに関する広告を選択する、というように、選択する広告種を絞りこむようにする。このような手法を用いれば、注文主に利用される可能性が高い広告情報または位置情報を書込むことができる。
【００６６】
このように解析されて選択された広告種は、液晶ディスプレイ１３４に表示され、ラボ店のオペレータは、表示された広告種を確認することができる。
【００６７】
次にステップ２０６で、画像データの画像が液晶ディスプレイ１３４に表示される。また、画像と共に変更入力画面も表示される。オペレータは、表示された画像から、そこに含まれる被写体を判別し、判別した結果、上記選択された広告種の変更が必要であると判断した場合には、変更入力画面に広告種の変更情報を入力する。変更入力画面には、オペレータが選択可能な広告種の一覧が表示され、それら広告種の中から任意に選択できるようになっている。
【００６８】
具体的には、撮影内容（画像データの画像の内容）からシーンを目視し、撮影者が興味を持っていると思われる広告種を選択することができる。例えば、被写体が子供であれば、教育に関する広告等が該当する。オペレータがこの広告種を、撮影情報及び注文主の個人情報により選択された上記広告種に付加すべき或いは上記選択された広告種の代わりに選択すべきであると判断した場合には、その変更情報を上記変更入力画面にて入力することができる。
【００６９】
ステップ２０８で、オペレータにより広告種の変更情報が入力されたか否かが判断される。入力されたと判断された場合には、ステップ２１０で、入力された変更情報に従って、広告種が変更される。変更情報が入力されなかったと判断された場合には、ステップ２１０の処理は行われず、ステップ２１２に移行する。
【００７０】
ステップ２１２では、ＣＰＵ１１６は、広告主サーバ２０にアクセスし、上記選択された広告種を送信し、広告種に対応した広告情報または広告主が提供する広告情報の位置を示す位置情報を要求する。広告主サーバ２０で広告情報または位置情報の要求が受信された場合には、ＣＰＵ１５２により送信された広告種に基づいて該当の広告情報または位置情報が広告ＤＢ２２から抽出され、ラボサーバ２４に送信される。
【００７１】
ステップ２１４で、広告主サーバ２０から広告情報または位置情報を受信したか否かが判断される。受信したと判断された場合には、ステップ２１６で、まず注文主の注文情報に従って、予めラボサーバ２４に装着しておいたリムーバブルメディア３２に画像データ及び撮影情報が書込まれ、その後、ステップ２１８で、リムーバブルメディア３２の空き領域に、広告主サーバ２０から受信した広告情報または位置情報が書込まれる。
【００７２】
なお、空き領域には、広告情報そのものの他、広告情報が記録された位置を示す位置情報（ネットワーク経由で広告情報が掲載されたサイトにアクセスするためのＵＲＬ情報等）を書込むことができるため、書込むデータ量を大幅に削減することができる。これにより、リムーバブルメディア３２への書込み処理の生産性を上げる効果を得ることができる。また、広告情報そのものを書込む場合には書込み後の内容の変更は不可能であるが、アクセス先のサイトに広告情報を提供するようにすれば、容易に内容を変更することができ、長期間に渡り、有効な宣伝効果を得ることができる。
【００７３】
なお、広告情報または位置情報を記録する方法としては、画像データや撮影情報を纏めて書込んだ後に、広告情報または位置情報を纏めて書込むようにすることもできるし、画像データ一つ書込んだ後に続けてその画像データに対応する広告情報または位置情報を書込むようにすることもできる。また、空き領域には広告情報と位置情報が混在するように書込んでもよいし、広告情報のみ或いは位置情報のみを書込むようにしてもよい。
【００７４】
このように書込み処理が施されたリムーバブルメディア３２は、注文情報で指定された配送先に配送される。
【００７５】
ところで、ラボサーバ２４では更に、広告情報書込み手数料を広告主から徴収するための課金処理も行われる。具体的には、広告情報または位置情報を取得した後、或いは広告情報または位置情報をリムーバブルメディア３２に書込んだ後に、広告主に対する課金情報を、取得した（或いは書込んだ）広告情報または位置情報のデータ量に基づいて算出し、広告主サーバ２０に該算出した課金情報を送信する。送信された課金情報は、広告情報または位置情報を提供した広告主の広告主ＰＣ１８０に転送される。
【００７６】
以上説明したように、注文主の個人情報や撮影時の状況を示す撮影情報、或いは画像データの内容の少なくとも１つに基づいて、広告情報または位置情報を選択し、画像データを書込んだ後のリムーバブルメディア３２の空き領域に該選択した広告情報または位置情報を書込むようにしたため、従来無駄にしていた空き領域を有効に活用することができ、また、これにより、広告主は利用される可能性が高い広告情報または位置情報を効果的に提供することができる。
【００７７】
また、広告情報または位置情報をリムーバブルメディア３２に書込むことによって、広告主から料金を徴収できるため、注文主が支払うべきサービス料金を下げる或いは無料とすることができる。
【００７８】
なお、上述した実施の形態では、広告主サーバ２０の広告ＤＢ２２には、広告情報及び広告情報の位置を示す位置情報の双方を記録する例について説明したが、広告情報のみ記録するようにしてもよいし、位置情報のみ記録するようにしてもよい。
【００７９】
また、上述した実施の形態では、広告情報または位置情報が広告主サーバ２０の広告ＤＢ２２に蓄積される例について説明したが、個々の広告主の広告主ＰＣ１８０に蓄積されるようにしてもよいし、ラボサーバ２４やネットセンタサーバ１６に蓄積されるようにしてもよい。また、上述した実施の形態では個人情報がネットセンタサーバ１６の個人情報ＤＢ１８に蓄積される例について説明したが、ラボサーバ２４に蓄積されるようにしてもよい。
【００８０】
更にまた、上述した実施の形態では、撮影画像を表示して、オペレータが表示された画像を目視することにより被写体（シーン）を判断し、手動で広告種を選択する例について説明したが、コンピュータシステムにより撮影画像に含まれる被写体を自動的に解析して広告種を選択するようにしてもよい。
【００８１】
また、上述した実施の形態では、ラボサーバ２４で情報を解析して広告種を選択する例について説明したが、ラボサーバ２４から広告主サーバ２０に各種情報を送信し、広告主サーバ２０で情報を解析し、広告種を選択するようにしてもよい。
【００８２】
また、上述した実施の形態では、書込んだ広告情報または位置情報のデータ量に基づいて課金情報を算出する例について説明したが、書込んだ広告情報または位置情報の数により算出するようにしてもよいし、一律に広告主から料金を徴収するようにしてもよい。
【００８３】
また、本発明は上記実施の形態におけるコンピュータやメディア書込みシステムに限られるものではなく、様々な情報記録装置や情報記録システムに適用可能である。
【００８４】
【発明の効果】
以上説明した如く本発明によれば、注文主の個人情報や撮影時の状況を示す撮影情報、及び画像データの内容の少なくとも１つに基づいて、広告情報及び広告情報の位置を示す位置情報の少なくとも１つを選択し、画像データの書込み後に生じる記録メディアの空き領域に該選択した情報を書込むようにしたため、記録メディアの空き領域を無駄にせず有効に活用することができるという優れた効果を奏する。
【図面の簡単な説明】
【図１】本発明の実施の形態のメディア書込みシステムがコンピュータ・ネットワーク・システムを用いて構成された場合の全体構成図を模式的に示した図である。
【図２】本実施の形態に係るメディア書込みシステムの機能構成及びデータの流れを示した概略図である。
【図３】ネットセンタサーバのＣＰＵによる処理ルーチンを示したフローチャートである。
【図４】ラボサーバのＣＰＵによる処理ルーチンを示したフローチャートである。
【符号の説明】
１０　デジタルカメラ
１２　注文主ＰＣ（送信装置）
１６　ネットセンタサーバ（個人情報データベース）
１８　個人情報ＤＢ
２０　広告主サーバ（広告データベース）
２２　広告ＤＢ
２４　ラボサーバ（情報記録装置）
２６　広告選択指示手段（選択手段）
２８　広告選択手段（選択手段）
３０　メディア書込み手段（記録手段）
３２　リムーバブルメディア（記録メディア）
１１０　メディア書込みシステム（情報記録システム）
１１２　通信回線（ネットワーク）
１１６　ＣＰＵ（選択手段、記録手段）
１１８　ＲＯＭ
１２４　ＨＤＤ
１２６　通信装置
【図１】
2004128677.tif 000003
【図２】
2004128677.tif 000004
【図３】
2004128677.tif 000005
【図４】
2004128677.tif 000006